(57)【要約】【課題】モニタリング画像に注意を払わないと想定される場合に、低消費電力化し、また画質の変動を人間の記憶特性に沿って行って品質を維持しつつ省電力化を図る。【解決手段】モニタリング用の初期値をクロックジェネレータに設定し（Ｓ１１）、これに基づきモニタリング表示の処理を実行する（Ｓ１２）。デジタルカメラ制御の特定条件の有無を確認（Ｓ１３）、特定条件でない場合（Ｎｏ）、動きの追従性が良い高いクロックをクロックジェネレータに設定する（Ｓ１４）。また、処理Ｓ１３にて、特定条件の場合（Ｙｅｓ）、低消費電力となる低いクロックを選択し、クロックジェネレータに設定する（Ｓ１５）。以降は処理Ｓ１２から繰り返してモニタリング処理する。例えば特定条件として、所定のオンスクリーンディスプレイの表示の場合に処理Ｓ１５を行い、所定のオンスクリーンディスプレイの表示が終了した場合、処理Ｓ１４を行う。【選択図】図７
2008048322.tif 000002
【特許請求の範囲】
【請求項１】
被写体を表す光学像を電気信号に変換する撮像手段と、前記電気信号を表す画像データを記録する情報記録媒体とを有する画像撮影装置であって、
前記撮像手段にて電気信号に変換した画像データを表示手段にて表示するための処理を行う表示制御手段と、当該画像撮影装置の制御に係る特定の条件を抽出する抽出手段と、前記抽出した条件に従って前記撮像手段が電気信号に変換する周期を変更する変更手段とを備えたことを特徴とする画像撮影装置。
【請求項２】
前記特定の条件が、表示手段に重ねて表示されるオンスクリーンディスプレイのうち所定の制御に係るオンスクリーンディスプレイの表示であることを特徴とする請求項１記載の画像撮影装置。
【請求項３】
前記特定の条件が、表示手段に重ねて表示されるオンスクリーンディスプレイのうち所定の制御に係るオンスクリーンディスプレイの表示がなされてから閾値となる時間以内であることを特徴とする請求項１記載の画像撮影装置。
【請求項４】
前記特定の条件が、ユーザーが最後に行った所定の操作がなされてから所定の時間以内であることを特徴とする請求項１記載の画像撮影装置。
【請求項５】
前記特定の条件が、セルフタイマのカウントダウン処理中であることを特徴とする請求項１記載の画像撮影装置。
【請求項６】
前記特定の条件が、遠隔から撮影処理が可能な状態であることを特徴とする請求項１記載の画像撮影装置。
【請求項７】
前記特定の条件が、画像データを表示する表示手段の電源のオン／オフであることを特徴とする請求項１記載の画像撮影装置。
【請求項８】
当該画像撮影装置の取扱いに伴う動きを検出するセンサを備え、前記特定の条件が、前記センサの検出値が所定の閾値より大きいことを特徴とする請求項１記載の画像撮影装置。
【請求項９】
前記センサが速度または加速度を検出することを特徴とする請求項８記載の画像撮影装置。
【請求項１０】
前記センサが角速度または角加速度を検出することを特徴とする請求項８記載の画像撮影装置。
【請求項１１】
被写体を表す光学像を電気信号に変換する撮像手段と、前記電気信号を表す画像データを記録する情報記録媒体とを有する画像撮影装置であって、
前記撮像手段にて電気信号に変換した画像データを表示手段にて表示するための処理を行う表示制御手段と、当該画像撮影装置の制御に係る特定の条件を抽出する抽出手段と、前記抽出した条件に従って前記画像データを表示する表示手段の輝度を変更する変更手段を備えたことを特徴とする画像撮影装置。
【請求項１２】
被写体を表す光学像を電気信号に変換する撮像手段と、前記電気信号を表す画像データを記録する情報記録媒体とを有する画像撮影装置であって、
前記撮像手段にて電気信号に変換した画像データを表示手段にて表示するための処理を行う表示制御手段と、当該画像撮影装置の制御に係る特定の条件を抽出する抽出手段と、前記抽出した条件に従って前記画像データを表示する表示手段の駆動電力を変更する変更手段を備えたことを特徴とする画像撮影装置。
【請求項１３】
前記特定の条件が、撮影画像データを撮影直後に一定時間のみ表示する撮影確認画像の表示であること特徴とする請求項１２または１３記載の画像撮影装置。
【請求項１４】
前記特定の条件が、撮影画像データを撮影直後に記録した情報記録媒体から読み出す記録確認画像の表示であること特徴とする請求項１２または１３記載の画像撮影装置。
【請求項１５】
被写体を表す光学像を撮像手段にて電気信号に変換し、前記電気信号を表す画像データを情報記録媒体に記録する画像撮影装置の表示方法であって、
前記撮像手段にて電気信号に変換した画像データを表示手段にて表示するための処理を行う工程と、前記画像撮影装置の制御に係る特定の条件を抽出する工程と、前記抽出した条件に従って前記撮像手段が電気信号に変換する周期を変更する工程とを有することを特徴とする画像撮影装置の表示方法。
【請求項１６】
前記特定の条件が、表示手段に重ねて表示されるオンスクリーンディスプレイのうち所定の制御に係るオンスクリーンディスプレイの表示であることを特徴とする請求項１５記載の画像撮影装置の表示方法。
【請求項１７】
前記特定の条件が、表示手段に重ねて表示されるオンスクリーンディスプレイのうち所定の制御に係るオンスクリーンディスプレイの表示がなされてから閾値となる時間以内であることを特徴とする請求項１５記載の画像撮影装置の表示方法。
【請求項１８】
前記特定の条件が、ユーザーが最後に行った所定の操作がなされてから所定の時間以内であることを特徴とする請求項１５記載の画像撮影装置の表示方法。
【請求項１９】
前記特定の条件が、セルフタイマのカウントダウン処理中であることを特徴とする請求項１５記載の画像撮影装置の表示方法。
【請求項２０】
前記特定の条件が、遠隔から撮影処理が可能な状態であることを特徴とする請求項１５記載の画像撮影装置の表示方法。
【請求項２１】
前記特定の条件が、画像データを表示する表示手段の電源のオン／オフであることを特徴とする請求項１５記載の画像撮影装置の表示方法。
【請求項２２】
前記画像撮影装置の取扱いに伴う動きを検出するセンサを備え、前記特定の条件が、前記センサの検出値が所定の閾値より大きいことを特徴とする請求項１５記載の画像撮影装置の表示方法。
【請求項２３】
前記センサが速度または加速度を検出することを特徴とする請求項２２記載の画像撮影装置の表示方法。
【請求項２４】
前記センサが角速度または角加速度を検出することを特徴とする請求項２２記載の画像撮影装置の表示方法。
【請求項２５】
被写体を表す光学像を撮像手段にて電気信号に変換し、前記電気信号を表す画像データを情報記録媒体に記録する画像撮影装置の表示方法であって、
前記撮像手段にて電気信号に変換した画像データを表示手段にて表示するための処理を行う工程と、前記画像撮影装置の制御に係る特定の条件を抽出する工程と、前記抽出した条件に従って前記画像データを表示する表示手段の輝度を変更する工程とを有することを特徴とする画像撮影装置の表示方法。
【請求項２６】
被写体を表す光学像を撮像手段にて電気信号に変換し、前記電気信号を表す画像データを情報記録媒体に記録する画像撮影装置の表示方法であって、
前記撮像手段にて電気信号に変換した画像データを表示手段にて表示するための処理を行う工程と、前記画像撮影装置の制御に係る特定の条件を抽出する工程と、前記抽出した条件に従って前記画像データを表示する表示手段の駆動電力を変更する工程とを有することを特徴とする画像撮影装置の表示方法。
【請求項２７】
前記特定の条件が、撮影画像データを撮影直後に一定時間のみ表示する撮影確認画像の表示であること特徴とする請求項２５または２６記載の画像撮影装置の表示方法。
【請求項２８】
前記特定の条件が、撮影画像データを撮影直後に記録した情報記録媒体から読み出す記録確認画像の表示であること特徴とする請求項２５または２６記載の画像撮影装置の表示方法。
【発明の詳細な説明】
【技術分野】
【０００１】
本発明は、デジタルスチルカメラ等の被写体を撮影する装置に係り、装置の省電力化を図るとともに、表示する画像の品位を維持する画像撮影装置および画像撮影装置の表示方法に関するものである。
【背景技術】
【０００２】
従来のデジタルスチルカメラ等のモバイル機器において、その機器に設けた液晶モニタは電力消費の大きな要因となっている。例えば、デジタルビデオカメラ，デジタルスチルカメラに設けた液晶モニタにおける消費電力を測定するモデルケースでは、モニタリング動作時間が最も長いため、モニタリング時の消費電力を下げることが最も低消費電力に寄与する。
【０００３】
このことから、液晶モニタの明るさを抑えたり液晶モニタをオフにすること、さらに、液晶モニタの電源のオン／オフをユーザーが選択できる製品も多数市販されている。また節電設定を備えた製品も多数市販されており、アイドリング状態が数分間続くと液晶モニタがオフになったり装置自体の電源が切れたりする製品も多い。また、モニタリング時の消費電力を下げるためにモニタリング動作中のフレームレートを下げることが考えられる。
【０００４】
特許文献１には、複数のフレームレートを得るため３個〜４個の発振子ないし発振器が必要になる場合に、クロックジェネレータに、タイミングジェネレータの発振源を持ち、この発振源の周波数のクロックをタイミングジェネレータへ出力し、かつタイミングジェネレータへ出力するクロックの周波数を変えられる構成が開示されている。
【０００５】
また、特許文献２には、カメラの電源オフ時にバックライト制御値をバックライトの明るさを低くする省エネデータとして記憶し、電源がオン時に、操作者のバックライトの明るさ設定モードか否か判別し、設定モードの時には、操作者が明るさ設定データを記憶し、これに基づいて明るさ制御が行われ、設定モードでない時は、先に設定された省エネデータを読み出して明るさを低く制御することが開示されている。
【０００６】
また、特許文献３には、被写体を撮像してカラー画像データを出力するＣＣＤと、外光の色成分を検出して、カラー画像データの少なくとも２色の信号レベルを調整するため、検出した外光の色成分に基づきアンプの利得を制御するコントローラと、このアンプにより信号レベルが調整されたカラー画像データを表示することが開示されている。
【特許文献１】特開２００３−９２６９８号公報
【特許文献２】特開平１１−３４１３１６号公報
【特許文献３】特開２００１−２６８４０５号公報
【発明の開示】
【発明が解決しようとする課題】
【０００７】
しかしながら、液晶モニタのモニタリング動作中のフレームレートを下げると消費電力は下がるが追従性が悪くなり、一般的に１５フレーム／秒が下限とされているように、画像の品質が低下する。また、液晶モニタを暗くしたり電源をオフすること、さらに省電力のまま明るく見せるためにブライトネスを上げる等の代替方法で省電力化を図っているが、表示が暗くなるため製品としての魅力を失い、あるいはブライトネスを上げるために表示が白っぽく画質が悪くなるという問題があった。
【０００８】
また、ＭＰＥＧに代表される音声圧縮技術，画像圧縮技術では、人間の聴覚特性，視覚特性に沿ってデータを減らすことにより品質の劣化を抑えたままでデータ量の削減を実現している。さらに、人間の記憶特性においては、第一印象の記憶，感情を後々まで強く残す特性があることが広く知られ、科学的にも証明がなされている。
【０００９】
本発明は、前記従来技術の問題を解決することに指向するものであり、省電力と表示画像の品位の維持は一般にトレードオフの関係にあることから、単にユーザー設定によって明るさを調整するのではなく、アイドリングを検知して電源を落とすのではなく、モニタリング動作中にユーザーが設定画面を呼び出している状態など、モニタリング画像に注意を払わないと想定される場合に、自動的にフレームレートを下げて低消費電力化を図り、また画質の変動を人間の記憶特性に沿って行うことで品質を維持しつつ省電力化を図り、前述したトレードオフ以上の効果を上げる画像撮影装置および画像撮影装置の表示方法を提供することを目的とする。
【課題を解決するための手段】
【００１０】
前記の目的を達成するために、本発明に係る請求項１に記載した画像撮影装置は、被写体を表す光学像を電気信号に変換する撮像手段と、電気信号を表す画像データを記録する情報記録媒体とを有する画像撮影装置であって、撮像手段にて電気信号に変換した画像データを表示手段にて表示するための処理を行う表示制御手段と、当該画像撮影装置の制御に係る特定の条件を抽出する抽出手段と、抽出した条件に従って撮像手段が電気信号に変換する周期を変更する変更手段とを備えたことを特徴とする。
【００１１】
また、請求項２〜７に記載した画像撮影装置は、請求項１の画像撮影装置において、特定の条件が、表示手段に重ねて表示されるオンスクリーンディスプレイのうち所定の制御に係るオンスクリーンディスプレイの表示であること、表示手段に重ねて表示されるオンスクリーンディスプレイのうち所定の制御に係るオンスクリーンディスプレイの表示がなされてから閾値となる時間以内であること、ユーザーが最後に行った所定の操作がなされてから所定の時間以内であること、セルフタイマのカウントダウン処理中であること、遠隔から撮影処理が可能な状態であること、画像データを表示する表示手段の電源のオン／オフであることを特徴とする。
【００１２】
また、請求項８〜１０に記載した画像撮影装置は、請求項１の画像撮影装置において、この画像撮影装置の取扱いに伴う動きを検出するセンサを備え、特定の条件が、センサの検出値が所定の閾値より大きいこと、さらに、センサが速度または加速度を検出すること、センサが角速度または角加速度を検出することを特徴とする。
【００１３】
また、請求項１１，１２に記載した画像撮影装置は、被写体を表す光学像を電気信号に変換する撮像手段と、電気信号を表す画像データを記録する情報記録媒体とを有する画像撮影装置であって、撮像手段にて電気信号に変換した画像データを表示手段にて表示するための処理を行う表示制御手段と、当該画像撮影装置の制御に係る特定の条件を抽出する抽出手段と、抽出した条件に従って画像データを表示する表示手段の輝度を変更する変更手段を備えたこと、または、抽出した条件に従って画像データを表示する表示手段の駆動電力を変更する変更手段を備えたことを特徴とする。
【００１４】
また、請求項１３，１４に記載した画像撮影装置は、請求項１２，１３の画像撮影装置において、特定の条件が、撮影画像データを撮影直後に一定時間のみ表示する撮影確認画像の表示であること、撮影画像データを撮影直後に記録した情報記録媒体から読み出す記録確認画像の表示であること特徴とする。
【００１５】
また、請求項１５に記載した画像撮影装置の表示方法は、被写体を表す光学像を撮像手段にて電気信号に変換し、電気信号を表す画像データを情報記録媒体に記録する画像撮影装置の表示方法であって、撮像手段にて電気信号に変換した画像データを表示手段にて表示するための処理を行う工程と、画像撮影装置の制御に係る特定の条件を抽出する工程と、抽出した条件に従って撮像手段が電気信号に変換する周期を変更する工程とを有することを特徴とする。
【００１６】
また、請求項１６〜２１に記載した画像撮影装置の表示方法は、請求項１５記載の表示方法において、特定の条件が、表示手段に重ねて表示されるオンスクリーンディスプレイのうち所定の制御に係るオンスクリーンディスプレイの表示であること、表示手段に重ねて表示されるオンスクリーンディスプレイのうち所定の制御に係るオンスクリーンディスプレイの表示がなされてから閾値となる時間以内であること、ユーザーが最後に行った所定の操作がなされてから所定の時間以内であること、セルフタイマのカウントダウン処理中であること、遠隔から撮影処理が可能な状態であること、画像データを表示する表示手段の電源のオン／オフであることを特徴とする。
【００１７】
また、請求項２２〜２４に記載した画像撮影装置の表示方法は、請求項１５の表示方法において、画像撮影装置の取扱いに伴う動きを検出するセンサを備え、特定の条件が、センサの検出値が所定の閾値より大きいこと、さらに、センサが速度または加速度を検出すること、センサが角速度または角加速度を検出することを特徴とする。
【００１８】
また、請求項２５，２６に記載した画像撮影装置の表示方法は、被写体を表す光学像を撮像手段にて電気信号に変換し、電気信号を表す画像データを情報記録媒体に記録する画像撮影装置の表示方法であって、撮像手段にて電気信号に変換した画像データを表示手段にて表示するための処理を行う工程と、画像撮影装置の制御に係る特定の条件を抽出する工程と、抽出した条件に従って画像データを表示する表示手段の輝度を変更する工程とを有すること、または、抽出した条件に従って画像データを表示する表示手段の駆動電力を変更する工程とを有することを特徴とする。
【００１９】
また、請求項２７，２８に記載した画像撮影装置の表示方法は、請求項２５，２６の表示方法において、特定の条件が、撮影画像データを撮影直後に一定時間のみ表示する撮影確認画像の表示であること、撮影画像データを撮影直後に記録した情報記録媒体から読み出す記録確認画像の表示であること特徴とする。
【００２０】
前記構成の画像撮影装置および画像撮影装置の表示方法によれば、ユーザーが画像撮影装置を所定の閾値以上に動かすようなモニタリング画像に注意を払わないと想定される場合に、自動的にフレームレートを下げて低消費電力化を図り、また撮影直後の確認画像を高品位とする画質の変動を人間の記憶特性に沿って行うことで、画質を維持しつつ低消費電力化を図ることができる。
【発明の効果】
【００２１】
本発明によれば、モニタリング画像に注意を払わないと想定される場合に、自動的にフレームレートを下げて低消費電力化を図り、また画質の変動を人間の記憶特性に沿って行うことで、画質を維持しつつ低消費電力化を図ることができるという効果を奏する。
【発明を実施するための最良の形態】
【００２２】
以下、図面を参照して本発明における実施の形態を詳細に説明する。
【００２３】
図１は本発明の実施の形態におけるデジタルスチルカメラ（以下、デジタルカメラという）の外観を示す（ａ）は上面図、（ｂ）は正面図、（ｃ）は背面図である。また、図２はデジタルカメラ内部のシステム構成の概要を示すブロック回路図である。
【００２４】
図１に示すように、デジタルカメラ本体の上面には、レリーズスイッチ（シャッタボタン）ＳＷ１、モードダイアルスイッチＳＷ２、およびサブＬＣＤ（液晶ディスプレイ）１が配設されている。
【００２５】
また、デジタルカメラ本体の正面には、撮影レンズを含む鏡胴ユニット７、光学ファインダ４、ストロボ発光部３、測距ユニット５、リモートコントロール受光部６が設けられている。
【００２６】
デジタルカメラの背面には、電源スイッチＳＷ１３、ＬＣＤモニタ１’、ＡＦＬＥＤ８、ストロボＬＥＤ９、広角方向ズームスイッチＳＷ３、望遠方向ズームスイッチＳＷ４、セルフタイマの設定・削除するセルフタイマスイッチＳＷ５、メニュースイッチＳＷ６、上移動・ストロボセットスイッチＳＷ７、右移動スイッチＳＷ８、ディスプレイスイッチＳＷ９、下移動・マクロスイッチＳＷ１０、左移動・画像確認スイッチＳＷ１１、ＯＫスイッチＳＷ１２、電源スイッチＳＷ１３が設けられている。カメラ本体の側面にはメモリカード／電池装填室の蓋２が設けられている。
【００２７】
デジタルカメラの各部材の機能および作用は公知であるので、その説明は省略することにし、次にカメラの内部のシステム構成を図２に基づき図１を参照しながら説明する。
【００２８】
図２に示すように、１０４はデジタルスチルカメラプロセッサ（以下、プロセッサという）である。
【００２９】
プロセッサ１０４は、第１ＣＣＤ信号処理ブロック１０４１、第２ＣＣＤ信号処理ブロック１０４２、ＣＰＵブロック１０４３、ローカルＳＲＡＭ１０４４、ＵＳＢブロック１０４５、シリアルブロック１０４６、ＪＰＥＧ・ＣＯＤＥＣブロック（ＪＰＥＧ圧縮・伸長を行うブロック）１０４７、ＲＥＳＩＺＥブロック（画像データのサイズを補間処理により拡大・縮小するブロック）１０４８、ＴＶ信号表示ブロック（画像データを液晶モニタ・ＴＶなどの外部表示機器に表示させるためのビデオ信号に変換するブロック）１０４９、メモリカードコントローラブロック（撮影画像データを記録するメモリカードの制御を行うブロック）１０４１０を有している。これらの各ブロックは相互にバスラインで接続されている。
【００３０】
また、プロセッサ１０４の外部にはＲＡＷ−ＲＧＢ画像データ（ホワイトバランス設定、γ設定が行われた状態の画像データ）、ＹＵＶ画像データ（輝度データ、色差データ変換が行われた状態の画像データ）、ＪＰＥＧ画像データ（ＪＰＥＧ圧縮された状態の画像データ）を保存するＳＤＲＡＭ１０３が配置され、このＳＤＲＡＭ１０３はプロセッサ１０４にメモリコントローラ（図示せず）、バスラインを介して接続されている。
【００３１】
プロセッサ１０４の外部には、さらに、ＲＡＭ１０７、内蔵メモリ（メモリカードスロットにメモリカードが装着されていない場合でも撮影画像データを記録するためのメモリ）１２０、制御プログラム，パラメータなどが格納されたＲＯＭ１０８が設けられ、これらもバスラインによってプロセッサ１０４に接続されている。
【００３２】
ＲＯＭ１０８に格納する制御プログラムは、デジタルカメラの電源スイッチＳＷ１３をオンすると、プロセッサ１０４のメインメモリ（図示せず）にロードされ、プロセッサ１０４はその制御プログラムに従って各部の動作制御を行うとともに、制御データ、パラメータ等をＲＡＭ１０７等に一時的に保存させる。また、ＲＯＭ８に書換え可能なフラッシュＲＯＭを使用することにより、制御プログラムや制御するためのパラメータを変更することが可能となり機能のバージョンアップを容易に行うことができる。
【００３３】
鏡胴ユニット７は、ズームレンズ７１ａを有するズーム光学系７１、フォーカスレンズ７２ａを有するフォーカス光学系７２、絞り７３ａを有する絞りユニット７３、メカニカルシャッタ７４ａを有するメカニカルシャッタユニット７４からなるレンズ鏡筒を備えている。なお、ズームレンズ７１ａ、フォーカスレンズ７２ａおよび絞り７３ａは撮影光学系を構成している。
【００３４】
ズーム光学系７１，フォーカス光学系７２，絞りユニット７３，メカニカルシャッタユニット７４は、ズームモータ７１ｂ，フォーカスモータ７２ｂ，絞りモータ７３ｂ，メカニカルシャッタモータ７４ｂによってそれぞれ駆動されるようになっている。
【００３５】
この鏡胴ユニット７の各モータはモータドライバ７５によって駆動され、モータドライバ７５はプロセッサ１０４のＣＰＵブロック１０４３によって制御される。
【００３６】
また、鏡胴ユニット７の各レンズ系によりＣＣＤ１０１に被写体像が結像され、ＣＣＤ１０１は被写体像を画像信号に変換してＦ／Ｅ（フロントエンド）−ＩＣ１０２に画像信号を出力する。Ｆ／Ｅ−ＩＣ１０２は画像ノイズ除去用のため相関二重サンプリングを行うＣＤＳ１０２１、利得調整用のＡＧＣ１０２２、アナログデジタル変換を行うＡ／Ｄ変換部１０２３から構成されている。すなわち、Ｆ／Ｅ−ＩＣ１０２はその画像信号に所定の処理を施し、アナログ画像信号をデジタル信号に変換してプロセッサ１０４の第１ＣＣＤ信号処理ブロック１０４１に向けてこのデジタル信号を出力する。
【００３７】
これらの信号制御処理は、プロセッサ１０４の第１ＣＣＤ信号処理ブロック１０４１から出力されるＶＤ（垂直同期）−ＨＤ（水平同期）信号によりＴＧ１０２４を介して行われる。そのＴＧ１０２４はそのＶＤ−ＨＤ信号に基づき駆動タイミング信号を生成する。また、第２ＣＣＤ信号処理ブロック１０４２において、フィルタリング処理により輝度データ・色差データへの変換を行う。
【００３８】
プロセッサ１０４のＣＰＵブロック１０４３は、音声記録回路１１５１による音声記録動作を制御するようになっている。音声記録回路１１５１はマイクロフォン（以下、マイクという）１１５３で変換された音声記録信号のマイクＡＭＰ（アンプリファイア）１１５２による増幅信号を指令に応じて記録する。ＣＰＵブロック１０４３は、音声再生回路１１６１の動作も制御する。音声再生回路１１６１は、指令により適宜メモリに記録されている音声信号を再生してオーディオＡＭＰ１１６２に出力し、スピーカ１１６３から音声を出力させるように構成されている。
【００３９】
ＣＰＵブロック１０４３は、さらに、ストロボ回路１１４を制御することによってストロボ発光部３から照明光を発光させる。これに加えて、ＣＰＵブロック１０４３は、測距ユニット５も制御する。
【００４０】
ＣＰＵブロック１０４３は、プロセッサ１０４のサブＣＰＵ１０９に接続され、サブＣＰＵ１０９はＬＣＤドライバ１１１を介して撮影可能枚数など表示するためのサブＬＣＤ１の表示制御を行う。サブＣＰＵ１０９は、さらに、撮影時の合焦状態を表示するＡＦＬＥＤ８、ストロボ充電状態を表すストロボＬＥＤ９、リモートコントロール送信機の信号を受信するリモートコントロール受光部６、ユーザーが操作する操作スイッチＳＷ１〜ＳＷ１４からなる操作キーユニット、ブザー１１３に接続されている。なお、ＡＦＬＥＤ８とストロボＬＥＤ９を、メモリカードアクセス中などの別の表示用途に使用しても良い。
【００４１】
パソコンなどの外部機器と通信を行うため、ＵＳＢブロック１０４５はＵＳＢコネクタ１２２に接続され、シリアルブロック１０４６はシリアルドライバ回路１２３１を介してＲＳ−２３２Ｃコネクタ１２３２に接続されている。ＴＶ信号表示ブロック１０４９は、ＬＣＤドライバ１１７を介してＬＣＤモニタ１’に接続されるとともに、ビデオＡＭＰ（ＴＶ信号表示ブロック１０４９から出力されたビデオ信号を７５Ωインピーダンスに変換するためのＡＭＰ（アンプリファイア））１１８を介してビデオジャック（カメラをＴＶなどの外部表示機器に接続するためのジャック）１１９に接続されている。メモリカードコントローラブロック１０４１０はメモリカードスロット１２１のカード接点に接続されている。
【００４２】
ＬＣＤドライバ１１７はＬＣＤモニタ１’を駆動するとともに、ＴＶ信号表示ブロック１０４９から出力されたビデオ信号をＬＣＤモニタ１’に表示させる信号に変換する役割を果たす。ＬＣＤモニタ１’は撮影前の被写体の状態監視するため、撮影画像を確認するため、メモリカードまたは内蔵メモリ１２０に記録された画像データを表示するために用いられる。
【００４３】
また、図３は本発明の実施形態における画像撮影装置としてのデジタルカメラの要部を示すブロック図である。被写体から撮影レンズを介して固体撮像素子のＣＣＤ１０１で受光した光は、ＣＣＤ１０１により光電変換されてＦ／Ｅ−ＩＣ１０２に送られる。Ｆ／Ｅ−ＩＣ１０２は、ＣＣＤ１０１の出力信号を相関二重サンプリングによってノイズ成分を除去しながらサンプリングし、逐次１０ビットのデータにＡ／Ｄ変換してプロセッサ１０４内におけるＤＳＰ１０４ａへ送る。
【００４４】
ＤＳＰ１０４ａは、Ｆ／Ｅ−ＩＣ１０２から送られてきた信号の補間，アパーチャ強調，ホワイトバランス処理などの処理を行い、さらに輝度信号Ｙおよび色差信号Ｃｂ，Ｃｒに変換してＳＤＲＡＭ１０３のフレームバッファに一時的に保存する。この動作がモニタリング中繰り返されるとともに、ＳＤＲＡＭ１０３に蓄えられたデータが逐次ＤＳＰ１０４ａ内のＴＶ信号表示ブロック１０４９のビデオエンコーダに読み出されてビデオ信号に変換された後、外部のテレビジョン受像機等の表示装置に出力される。
【００４５】
ＣＣＤ１０１は、ＴＧ（タイミングジェネレータ）１０２４からＣＣＤ１０１へ出力される水平駆動パルスと、垂直ドライバ（ＶＤｒ）１０２６からＣＣＤ１０１へ出力される垂直駆動パルスと電子シャッタパルスとにより駆動される。制御手段としてのＣＰＵブロック１０４３は電子シャッタパルスによりＴＧ１０２４やＦ／Ｅ−ＩＣ１０２、クロックジェネレータ２０を制御し、ＴＧ１０２４は垂直ドライバ１０２６へＣＣＤ１０１の垂直駆動パルスを出力するとともにＦ／Ｅ−ＩＣ１０２へクロックを出力する。
【００４６】
ＴＧ１０２４の源信はクロックジェネレータ２０から出力されるＣＣＤ駆動用パルスであり、このＣＣＤ駆動用パルスはＴＧ１０２４内の分周器１０２５で分周されてＤＳＰ１０４ａに送られる。一方、ＤＳＰ１０４ａは、ＴＧ１０２４からのＣＣＤ駆動用パルスをカウントするカウンタが内蔵されており、このカウンタのカウント数が所定のカウント数に達した際に、ＴＧ１０２４に対して水平リセット信号，垂直リセット信号等を出力する。
【００４７】
ここで、ＣＣＤ駆動用パルスはクロックジェネレータ２０から出力されるが、これはクロックジェネレータ２０に取り付けられたＣＣＤ駆動用水晶発振子２１の発振周波数のクロックを分周する回路をクロックジェネレータ２０の内部に比較的簡単に内蔵できるからである。このようにＣＣＤ駆動用パルスを分周することにより、モニタリングの低消費電力化などが可能になる。
【００４８】
本実施形態では、クロックジェネレータ２０からの源信（ＣＣＤ駆動用水晶発振子２１を用いた水晶発振回路で発生したクロック）と、これを分周器１０２５で２分周したクロックとをＣＣＤ駆動用第１，第２クロックとして選択的に出力する。もちろん、ＣＣＤ駆動用水晶発振子２１を用いた水晶発振回路で発生したクロックを分周する分周器は、複数段用意しても良いが、ここでは説明の簡略化と、ＣＣＤ駆動用パルスを遅くすれば（低周波数化すれば）するほどモニタリングのフレームの更新スピードも遅くなってしまうことから、現実性を考えてクロックを２分周する分周器とした。
【００４９】
実際にＣＣＤ駆動用パルスを分周することによって得られる低消費電力化の効果として顕著なものは、ＴＧ１０２４の内部のロジック系の低消費電力化、ＣＣＤ１０１の水平，垂直駆動出力用バッファの低消費電力化であり、およそＣＣＤ駆動用パルスを２分周する場合であれば消費電力が半分になるというようにＣＣＤ駆動用パルスを分周する分周器の分周比に比例する。この他、前述のブロック（ロジック系、ＣＣＤ１０１の水平、垂直駆動出力用バッファ）ほどの効果はないものの、Ｆ／Ｅ−ＩＣ１０２の消費電力も減少する。
【００５０】
また、本実施形態では、モニタリングのフレームの更新スピードを任意に設定する構成を有し、ＣＰＵブロック１０４３は、クロックジェネレータ２０を制御してクロックジェネレータ２０からＴＧ１０２４へのクロック（ＣＣＤ駆動用パルス）の周波数を変える。このため、モニタリングのフレームの更新スピードが遅くて追従性が悪くなる場合には任意のモニタリングのフレームの更新スピードを決定することができる。
【００５１】
また、２５は三軸の加速度センサであり、ユーザーの撮影等の取扱いに伴うデジタルカメラの動きを検知する。この構造は公知であるのでその説明は省略する。
【００５２】
図４はデジタルカメラにおけるＤＳＰの具体的な構成の一例を示す図である。ＤＳＰ１０４ａは、図４に示すように、Ａ／Ｄ変換部１０２３（図３参照）から入力したデジタル画像データをＲ・Ｇ・Ｂの各色成分に分離する色分離部４１と、分離されたＲ・Ｇ・Ｂの各画像データを補間する信号補間部４２と、Ｒ・Ｇ・Ｂの各画像データの黒レベルを調整するペデスタル調整部４３と、Ｒ，Ｂの各画像データの白レベルを調整するホワイトバランス調整部４４と、ＣＰＵブロック１０４３により設定されたゲインでＲ・Ｇ・Ｂの各画像データを補正するデジタルゲイン調整部４５と、Ｒ・Ｇ・Ｂの各画像データのγ変換を行うγ変換部４６と、ＲＧＢの画像データを色差信号（Ｃｂ，Ｃｒ）と輝度信号（Ｙ）とに分離するマトリクス部４７と、色差信号（Ｃｂ，Ｃｒ）と輝度信号（Ｙ）とに基づいてビデオ信号を作成し外部表示装置に出力するビデオ信号処理部４８とを備えている。
【００５３】
さらに、ＤＳＰ１０４ａは、ペデスタル調整部４３によるペデスタル調整後の画像データの輝度データ（Ｙ）を検出するＹ演算部４９と、Ｙ演算部４９で検出した輝度データ（Ｙ）の所定周波数成分のみを通過させるＢＰＦ５０と、ＢＰＦ５０を通過した輝度データ（Ｙ）の積分値をＡＦ評価値としてＣＰＵブロック１０４３に出力するＡＦ評価値回路５１と、Ｙ演算部４９で検出した輝度データ（Ｙ）に応じたデジタルカウント値をＡＥ評価値としてＣＰＵブロック１０４３に出力するＡＥ評価値回路５２と、ホワイトバランス調整部４４による調整後のＲ・Ｇ・Ｂの各画像データの輝度データ（Ｙ）を検出するＹ演算部５３と、Ｙ演算部５３で検出した各色の輝度データ（Ｙ）をそれぞれカウントして各色のＡＷＢ評価値としてＣＰＵブロック１０４３に出力するＡＷＢ評価値回路５４と、ＣＰＵブロック１０４３とのインターフェースであるＣＰＵＩ／Ｆ５５、およびＤＣＴとのインターフェースであるＤＣＴＩ／Ｆ５６等を備えている。
【００５４】
ＣＣＤ１０１を使用して合焦位置を検出する場合をＣＣＤ−ＡＦ（内部ＡＦ）という。ＣＣＤ−ＡＦでは、フォーカスレンズ系を移動して、ＣＣＤ１０１から出力される画像信号に応じた被写体のコントラストを示すＡＦ評価値をサンプリングし、ＡＦ評価値のピーク位置を合焦位置とする山登りサーボ方式を使用する。
【００５５】
図５は本実施形態のデジタルカメラの動作概要を示すフローチャートである。電源投入によりデジタルカメラが起動すると、図１に示すモードダイアルスイッチＳＷ２等から設定されるモードとして、撮影モードの確認が行われる（Ｓ１）。この処理Ｓ１において撮影モードの時（処理Ｓ１のＹｅｓ）、ＬＣＤモニタ１’に被写体像を表示するモニタリング処理が起動する（Ｓ２）。その後、さらなるモード設定の変更の有無を確認し（Ｓ３）、モード変更のある場合（処理Ｓ３のＹｅｓ）、処理Ｓ１へ戻り、モード変更のない場合（処理Ｓ３のＮｏ）、撮影処理に移る（Ｓ４）。撮影処理の終了後は処理Ｓ２のモニタリング処理へと移る。
【００５６】
また、処理Ｓ１において、撮影モードではない時（Ｓ１のＮｏ）、情報記録媒体等に格納された撮影済みの画像データの再生処理が行われる（Ｓ５）。さらに、モード設定の変更の有無を確認し（Ｓ６）、モード設定の変更がなければ（処理Ｓ６のＮｏ）、処理Ｓ５に戻り再生処理を行う。処理Ｓ６でモード設定の変更があれば（処理Ｓ６のＹｅｓ）、処理Ｓ１へ戻り設定モードの変更が行われる。図６はオンスクリーンディスプレイの表示例を示す図である。
【００５７】
図７は本発明の実施形態１におけるデジタルカメラのモニタリング動作を示すフローチャートである。本実施形態１の動作を、図３を参照しながら図７に基づき説明する。モニタリング用の初期値をクロックジェネレータ２０に設定する（Ｓ１１）。この設定に基づきモニタリング表示の処理を実行する（Ｓ１２）。デジタルカメラの制御に係る特定の条件の有無を確認し（Ｓ１３）、特定の条件に該当しない場合（処理Ｓ１３のＮｏ）、動きの追従性を良くするために高いクロックをクロックジェネレータ２０に設定する（Ｓ１４）。
【００５８】
また、処理Ｓ１３において、特定の条件に該当する場合（処理Ｓ１３のＹｅｓ）、動きの追従性のあまり良くない低いクロックを選択して、クロックジェネレータ２０に設定する（Ｓ１５）。以降は処理Ｓ１２から繰り返してモニタリング処理を行う。
【００５９】
また、特定の条件として、モニタリング画面に重ねて表示されるオンスクリーンディスプレイのうち所定のオンスクリーンディスプレイの表示がなされている場合には、処理Ｓ１５の設定をすることになるが、所定のオンスクリーンディスプレイの表示が消された場合には、処理Ｓ１４の高いクロックをクロックジェネレータ２０に設定する。
【００６０】
特定の条件として、所定のオンスクリーンディスプレイの表示がなされている経過時間が所定の時間以内の場合には、所定のオンスクリーンディスプレイの表示がなされてからどれだけの時間が経過したかを抽出して、抽出した時間が所定の時間より小さい場合には処理Ｓ１５、所定の時間より大きい場合には処理Ｓ１４を行う。以降は処理Ｓ１２から繰り返してモニタリング処理を行う。
【００６１】
特定の条件として、ユーザーが最後に行った所定の操作がなされてからの経過時間が所定の時間より小さい場合には、ユーザーが特定の操作をした時点から経過した時間を抽出し、所定の閾値より小さい時には処理Ｓ１５、所定の閾値より大きい時には処理Ｓ１４を行う。以降は処理Ｓ１２から繰り返してモニタリング処理を行う。
【００６２】
特定の条件として、セルフタイマのカウントダウン処理中である場合には、セルフタイマのカウントダウン処理中を確認した時には処理Ｓ１５、セルフタイマのカウントダウン処理中でない時には処理Ｓ１４を行う。以降は処理Ｓ１２から繰り返してモニタリング処理を行う。
【００６３】
特定の条件として、遠隔から撮影処理が可能な状態である場合には、遠隔から撮影処理が可能な状態を確認した時には処理Ｓ１５、遠隔から撮影処理が可能な状態でない時には処理Ｓ１４を行う。以降は処理Ｓ１２から繰り返してモニタリング処理を行う。
【００６４】
特定の条件として、画像データを表示する表示手段の電源のオン／オフである場合には、表示手段の電源がオンである時には処理Ｓ１５、表示手段の電源がオフである時には処理Ｓ１４を行う。以降は処理Ｓ１２から繰り返してモニタリング処理を行う。
【００６５】
また、図３に示すように、デジタルカメラの取扱いに伴う動きを検出するセンサとして加速度センサ２５等を設けている場合に、このセンサの検出値が所定の閾値より大きいことを特定の条件とする。
【００６６】
このセンサとして、例えば三軸の加速度センサ２５を考えると、検出する加速度ｘ，ｙ，ｚは異なる加速度方向のデータであり、ここでは、ｘ⊥ｙ，ｙ⊥ｚ，ｚ⊥ｘとして三軸とするが、三軸に限定しているものではない。ｘ軸は表示手段の水平方向と一致させ、ｙ軸は表示手段の垂直方向と一致させ、ｚ軸は表示手段の遠近方向と一致させる。また、加速度ｚの閾値をＴｘ、加速度ｙの閾値をＴｙ、加速度ｚの閾値をＴｚ、各閾値はＴｘ＞Ｔｙ＞Ｔｚとする。
【００６７】
図８は三軸の加速度センサを用いた所定の条件を求める処理を示すフローチャートである。図８のフローチャートに示すように加速度ｘ，ｙ，ｚのそれぞれを所定の閾値と比較することにより特定の条件に該当するか否かを判断している。
【００６８】
図７に示すフローチャートにおいて、特定の条件が、センサの検出値が所定の閾値より大きい時には処理Ｓ１５、所定の閾値より小さい時には処理Ｓ１４を行う。以降は処理Ｓ１２から繰り返してモニタリング処理を行う。
【００６９】
なお、センサとして、速度または加速度を抽出する加速度センサを例に説明したが、これに限定せず、速度または加速度を抽出できるものであれば何でも良い。
【００７０】
以上の構成により、ユーザーがモニタリング画像に注意を払わないと想定される場合に、自動的にフレームレートを下げて低消費電力化することができる。
【００７１】
図９は本発明の実施形態２におけるデジタルカメラのモニタリング動作を示すフローチャートである。本実施形態２の動作を、図３を参照しながら図９に基づき説明する。ここで、図９のフローチャートは、前述の実施形態１で説明した図７のフローチャートとほぼ同様であるため、同等の処理をするものには同一の符号を付す。
【００７２】
図９と図７のフローチャートの異なる点は、特定の条件の有無を確認する処理Ｓ１３において、特定の条件に該当しない場合（処理Ｓ１３のＮｏ）、モニタリング処理している表示画像に変化の有無を確認し（Ｓ１７）、表示画像に変化のない場合（処理Ｓ１７のＮｏ）、処理Ｓ１５へ移る。また、処理Ｓ１７において、表示画像に変化のある場合（処理Ｓ１７のＹｅｓ）、処理Ｓ１４へ移る。以降は処理Ｓ１２から繰り返してモニタリング処理を行う。
【００７３】
なお、処理Ｓ１７において判断する変化のない、動きのない画像と判断する方法として、前回モニタリング処理で抽出したＡＥ評価値回路５２の出力と今回のモニタリング処理で抽出したＡＥ評価値回路５２の出力を比較し、評価値が一定レベルを越えた場合、画像の変化ありとする。
【００７４】
または、前回モニタリング処理で抽出したＡＷＢ評価値回路５４と今回のモニタリング処理で抽出したＡＷＢ評価値回路５４の出力を比較し、評価値が一定レベルを越えた場合、画像の変化ありとする。
【００７５】
または、前回モニタリング処理で抽出したＡＦ評価値回路５１の出力と今回のモニタリング処理で抽出したＡＦ評価値回路５１の出力を比較し、評価値が一定レベルを越えた場合、画像の変化ありとする。
【００７６】
または、上記３つの処理を組み合わせることで、それぞれの評価値が一定レベルを越えた場合、画像の変化ありとする。
【００７７】
また、本実施形態２において、特定の条件に基づき行う各処理は前述の実施形態１と同様であるため、その説明は省略する。
【００７８】
実施形態１と同様に、ユーザーがモニタリング画像に注意を払わないと想定される場合に、自動的にフレームレートを下げて低消費電力化することができる。
【００７９】
図１０は本発明の実施形態３におけるデジタルカメラの動作を示すフローチャートである。前述の図５に示すデジタルカメラの動作を説明したフローチャートの撮影処理Ｓ４において、デジタルカメラに撮影直後の撮影した画像データを確認するための確認画像表示を行う機能を有するものである。
【００８０】
ここで、確認画像表示を行う表示手段のＬＣＤモニタについて詳述する。ＬＣＤモニタは液晶パネルとバックライトから構成され、ＬＣＤモニタを明るく見せるには２通りの方法がある。第１の方法として、バックライトを明るくして輝度を変化させる。バックライトの明るさを変化させる分電力を余分に消費する。また第２の方法として、液晶パネルの駆動電力を変化させブライトネスを上げる方法がある。この場合バックライトの明るさは一定で良いため電力消費はほぼ一定のまま明るくできるが画像が白っぽくなり画質が悪くなる。
【００８１】
図１０に示すフローチャートに基づき本実施形態３について説明する。図１０に示すように、モニタリング処理の状態から（Ｓ２）モード変更を確認し（Ｓ３）、変更のない時（処理Ｓ３のＮｏ）、撮影処理が行われる状態となる。ここで、シャッタボタンが押下されることにより（Ｓ３１）撮影を行う。このとき、デジタルカメラに有する確認画像表示の機能が設定されているか否かが確認され（Ｓ３２）、確認画像表示が設定されている場合（処理Ｓ３２のＹｅｓ）、撮影直後に撮影された画像データが一定時間のみ表示され、ユーザーが操作することなく自動的にモニタリング処理の状態に戻る（Ｓ３３）。このときに表示される画像を撮影確認画像と呼ぶ。
【００８２】
人間の第一印象には残存効果があるため、この撮影確認画像を表示する場合にのみ、電力を消費するが高品位で表示をする。このように、画質の変動を人間の記憶特性に沿って行うことによって、画質を維持しつつ低消費電力効果を得ることができる。
【００８３】
また、図１１は本実施形態３における別のデジタルカメラの動作を示すフローチャートである。図１１に示すように、モニタリング処理の状態から（Ｓ２）モード変更を確認し（Ｓ３）、変更のない時（処理Ｓ３のＮｏ）、撮影処理が行われる状態となる。ここで、クイックビューボタン（図１に示す左移動・画像確認スイッチＳＷ１１）が押下されると（Ｓ３５）、直前に撮像した画像データの有無を確認し（Ｓ３６）、確認画像が記録されている場合（処理Ｓ３６のＹｅｓ）、確認画像を表示する（Ｓ３７）。
【００８４】
再び同じクイックビューボタンが押下されるとモニタリング処理の状態に戻る（Ｓ３８）。処理Ｓ３６において、直前に撮像した画像データが記録されていない場合（処理Ｓ３６のＮｏ）、警告音を発し（Ｓ３９）、モニタリング処理の状態に戻る。この動作で確認できる記録確認画像をクイックビューと呼ぶ。
【００８５】
前述と同様に人間の第一印象には残存効果があるため、ユーザーが撮影直後に記録した画像データを確認する記録確認画像を表示する場合に電力を消費するが高品位で表示をする。このように、画質の変動を人間の記憶特性に沿って行うことによって、画質を維持しつつ低消費電力効果を得ることができる。
【００８６】
また、図１に示すモードダイアルスイッチＳＷ２により選択される再生モードにすると、デジタルカメラにおいて撮影し情報記録媒体に記録した全ての画像データを読み出す再生が可能になる。このモードによって表示手段に表示される画像を再生画像と呼ぶ。
【００８７】
前述したように、再生画像においては、撮影した画像データを処理する際の内容確認に用いられることから、消費電力効果を得られる画像表示であっても支障はない。
【産業上の利用可能性】
【００８８】
本発明に係る画像撮影装置および画像撮影装置の表示方法は、モニタリング画像に注意を払わないと想定される場合に、自動的にフレームレートを下げて低消費電力化を図り、また画質の変動を人間の記憶特性に沿って行うことで、画質を維持しつつ低消費電力化を図ることができ、デジタルスチルカメラ等の被写体を撮影する装置として有用である。
【図面の簡単な説明】
【００８９】
【図１】本発明の実施の形態におけるデジタルカメラの外観を示す（ａ）は上面図、（ｂ）は正面図、（ｃ）は背面図
【図２】デジタルカメラ内部のシステム構成の概要を示すブロック回路図
【図３】デジタルカメラの要部を示すブロック図
【図４】デジタルカメラにおけるＤＳＰの具体的な構成の一例を示す図
【図５】デジタルカメラの動作概要を示すフローチャート
【図６】オンスクリーンディスプレイの表示例を示す図
【図７】本発明の実施形態１におけるデジタルカメラのモニタリング動作を示すフローチャート
【図８】三軸の加速度センサを用いた所定の条件を求める処理を示すフローチャート
【図９】本発明の実施形態２におけるデジタルカメラのモニタリング動作を示すフローチャート
【図１０】本発明の実施形態３におけるデジタルカメラの動作を示すフローチャート
【図１１】本実施形態３における別のデジタルカメラの動作を示すフローチャート
【符号の説明】
【００９０】
１’  ＬＣＤモニタ
２０  クロックジェネレータ
２５  加速度センサ
５１  ＡＦ評価値回路
５２  ＡＥ評価値回路
５４  ＡＷＢ評価値回路
１０１  ＣＣＤ
１０３  ＳＤＲＡＭ
１０４ａ  ＤＳＰ
１０２４  ＴＧ
１０２５  分周器
１０４３  ＣＰＵブロック
【図１】
2008048322.tif 000003
【図２】
2008048322.tif 000004
【図３】
2008048322.tif 000005
【図４】
2008048322.tif 000006
【図５】
2008048322.tif 000007
【図６】
2008048322.tif 000008
【図７】
2008048322.tif 000009
【図８】
2008048322.tif 000010
【図９】
2008048322.tif 000011
【図１０】
2008048322.tif 000012
【図１１】
2008048322.tif 000013